(57)【要約】【課題】夜間等において杖の使用者の存在を周囲により確実に知らせることが出来る発光機能付き杖を提供すること。【解決手段】支柱部１０と、支柱部１０の上端部に設けられた握り部２０と、支柱部１０の前面から光を発する様に、支柱部の長手方向に沿って配置された６個の白色ＬＥＤ２１１と、支柱部１０の後面から光を発する様に、支柱部の長手方向に沿って配置された３の赤色ＬＥＤ２２１と、白色ＬＥＤ２１１、及び赤色ＬＥＤ２２１に電気エネルギーを供給するリチウム電池４０と、リチウム電池４０からの電気エネルギーの供給を入り切りするシーソースイッチ１００と、を備えたことを特徴とする発光機能付き杖１である。【選択図】図２
2019037718.tif 000002
【特許請求の範囲】
【請求項１】
支柱部と、
前記支柱部の上端部に設けられた握り部と、
前記支柱部の前面から光を発する様に、前記支柱部の長手方向に沿って配置された複数の第１発光部と、
前記支柱部の後面から光を発する様に、前記支柱部の長手方向に沿って配置された複数の第２発光部と、
前記第１発光部、及び前記第２発光部に電気エネルギーを供給する電池部材と、
前記電池部材からの前記電気エネルギーの供給を入り切りするスイッチ部と、
を備えたことを特徴とする発光機能付き杖。
【請求項２】
前記支柱部は、内部に空間部を有する円筒状部材であって、
前記握り部は、前記支柱部の前記上端部に着脱可能に設けられており、
前記電池部材は、前記支柱部の前記上端部の内部に取出可能に収納されており、
前記第１発光部は前記支柱部の前記空間部の前側の内壁に沿って配置されており、
前記第２発光部は前記支柱部の前記空間部の後側の内壁に沿って配置されており、
前記支柱部の外周面の内、前記第１発光部の位置に対応する位置には、光が透過可能な第１開口部が設けられており、且つ、前記第２発光部の位置に対応する位置には、光が透過可能な第２開口部が設けられている、ことを特徴とする請求項１に記載の発光機能付き杖。
【請求項３】
前記第１発光部は、白色の光を発する白色ＬＥＤであり、
前記第２発光部は、赤色の光を発する赤色ＬＥＤであり、
前記第１発光部、及び前記第２発光部は、前記支柱部の内部の空間部に配置された角柱状部材の対向面に貼り付けられている、ことを特徴とする請求項１又は２に記載の発光機能付き杖。
【発明の詳細な説明】
【技術分野】
【０００１】
本発明は、杖に関し、特に発光機能付き杖に関する。
【背景技術】
【０００２】
高齢者や足の不自由な人の歩行の補助具として杖が知られている。
【０００３】
また、夜間において歩行の安全を確保するために、杖の石突き部（先端部）を中心とする所定範囲の地面を照らすことが出来る照明付き杖が提案されている（例えば、特許文献１参照）。
【先行技術文献】
【特許文献】
【０００４】
【特許文献１】特開２０１５−５８０５５号公報
【発明の概要】
【発明が解決しようとする課題】
【０００５】
しかしながら、上記従来の照明付き杖を持って、高齢者等が夜間に歩行する場合、杖の先端部から下向きに光が出て所定範囲の地面を照らすだけでは、車を運転しているドライバーからは、その歩行者の存在を視認しづらい場合があるという問題がある。
【０００６】
本発明は、上記従来の杖のこの様な課題に鑑みて、夜間等において杖の使用者の存在を周囲により確実に知らせることが出来る発光機能付き杖を提供することを目的とする。
【課題を解決するための手段】
【０００７】
第１の本発明は、
支柱部と、
前記支柱部の上端部に設けられた握り部と、
前記支柱部の前面から光を発する様に、前記支柱部の長手方向に沿って配置された複数の第１発光部と、
前記支柱部の後面から光を発する様に、前記支柱部の長手方向に沿って配置された複数の第２発光部と、
前記第１発光部、及び前記第２発光部に電気エネルギーを供給する電池部材と、
前記電池部材からの前記電気エネルギーの供給を入り切りするスイッチ部と、
を備えたことを特徴とする発光機能付き杖である。
【０００８】
また、第２の本発明は、
前記支柱部は、内部に空間部を有する円筒状部材であって、
前記握り部は、前記支柱部の前記上端部に着脱可能に設けられており、
前記電池部材は、前記支柱部の前記上端部の内部に取出可能に収納されており、
前記第１発光部は前記支柱部の前記空間部の前側の内壁に沿って配置されており、
前記第２発光部は前記支柱部の前記空間部の後側の内壁に沿って配置されており、
前記支柱部の外周面の内、前記第１発光部の位置に対応する位置には、光が透過可能な第１開口部が設けられており、且つ、前記第２発光部の位置に対応する位置には、光が透過可能な第２開口部が設けられている、ことを特徴とする上記第１の本発明の発光機能付き杖である。
【０００９】
また、第３の本発明は、
前記第１発光部は、白色の光を発する白色ＬＥＤであり、
前記第２発光部は、赤色の光を発する赤色ＬＥＤであり、
前記第１発光部、及び前記第２発光部は、前記支柱部の内部の空間部に配置された角柱状部材の対向面に貼り付けられている、ことを特徴とする上記第１又は第２の本発明の発光機能付き杖である。
【発明の効果】
【００１０】
本発明によれば、夜間等において杖の使用者の存在を周囲により確実に知らせることが出来る発光機能付き杖を提供することが出来るという効果を発揮する。
【図面の簡単な説明】
【００１１】
【図１】本実施の形態の発光機能付き杖の前面側及び右側面側を斜め前方から見た斜視図
【図２】本実施の形態の発光機能付き杖を支柱部の中心軸を通る平面で切断した状態を模式的に示す断面模式図
【図３】（ａ）：本実施の形態の発光機能付き杖を、図２に示すＡ−Ａ線に沿って切断した場合のＡ−Ａ断面概略矢視図、（ｂ）：本実施の形態の発光機能付き杖を、図２に示すＢ−Ｂ線に沿って切断した場合のＢ−Ｂ断面概略矢視図
【図４】（ａ）：本実施の形態の発光機能付き杖の支柱部に内蔵された、６個の白色ＬＥＤが発光可能に等間隔に配置されたＬＥＤ第１シート状部材の平面図、（ｂ）：本実施の形態の発光機能付き杖の支柱部に内蔵された、３個の赤色ＬＥＤが発光可能に等間隔に配置されたＬＥＤ第２シート状部材の平面図
【図５】本実施の形態の発光機能付き杖の電気回路図
【発明を実施するための形態】
【００１２】
以下に、本発明の発光機能付き杖の実施の形態について、図面を用いて説明する。
【００１３】
なお、以下に説明する発光機能付き杖は、本発明の実施の形態の一例であり、本発明は、以下に説明する発光機能付き杖の構成（各部の形状、各部の材質、各部材の個数等を含む）に限定されるものではない。
【００１４】
本実施の形態の発光機能付き杖１は、図１、図２に示す様に、内部が中空で円筒形状を成したアルミ製の支柱部１０と、支柱部１０の上端部に着脱可能に取り付けられた握り部２０と、支柱部１０の下端部に取り付けられたゴム製の石突部３０とにより構成されている。
【００１５】
また、図１、図２に示す様に、本実施の形態の発光機能付き杖１では、支柱部１０の長手方向の中央部より下方において、支柱部１０の前面側から後述する白色ＬＥＤ（白色発光ダイオード）２１１からの光が放出される様に、支柱部１０の長手方向に沿って６個の前面開口部１１が形成されており、且つ、支柱部１０の後面側から後述する赤色ＬＥＤ（赤色発光ダイオード）２２１からの光が放出される様に、支柱部１０の長手方向に沿って３個の後面開口部１２が形成されている。
【００１６】
また、図１に示す様に、本実施の形態の発光機能付き杖１の支柱部１０の右側上部には、その外周面から露出する様に、白色ＬＥＤ２１１及び赤色ＬＥＤ２２１の発光の動作を入り切りするシーソースイッチ１００が設けられている。
【００１７】
図１は、本実施の形態の発光機能付き杖１の前面側及び右側面側を斜め前方から見た斜視図である。
【００１８】
また、図２は、発光機能付き杖１を支柱部１０の中心軸を通る平面で切断した状態を模式的に示す断面模式図である。
【００１９】
なお、後述するシーソースイッチ１００は、図１に示す様に、支柱部１０の右側面に位置しているので、図２の断面図にはシーソースイッチ１００は表記する必要は無いが、ここでは、他の部材との電気的な接続関係を説明するために、便宜上、シーソースイッチ１００を二点鎖線で模式的に表した。また、電気的な接続関係を示すための配線類は、破線を用いて模式的に表した。
【００２０】
次に、主として図２〜図５を参照しながら、本実施の形態の発光機能付き杖１の構造について、更に説明する。
【００２１】
図３（ａ）は、本実施の形態の発光機能付き杖１を、図２に示すＡ−Ａ線に沿って切断した場合のＡ−Ａ断面概略矢視図であり、図３（ｂ）は、本実施の形態の発光機能付き杖１を、図２に示すＢ−Ｂ線に沿って切断した場合のＢ−Ｂ断面概略矢視図である。なお、図３（ｂ）では、配線の図示を省略した。
【００２２】
また、図４（ａ）は、本実施の形態の発光機能付き杖１の支柱部１０に内蔵された、６個の白色ＬＥＤ２１１が発光可能に等間隔に配置されたＬＥＤ第１シート状部材２１０の平面図であり、図４（ｂ）は、本実施の形態の発光機能付き杖１の支柱部１０に内蔵された、３個の赤色ＬＥＤ２２１が発光可能に等間隔に配置されたＬＥＤ第２シート状部材２２０の平面図である。
【００２３】
また、図５は、本実施の形態の発光機能付き杖１の電気回路図である。
【００２４】
本実施の形態の発光機能付き杖１の支柱部１０の両端面及び内周面１０ａを除く外周面は、アルマイト処理が施されており、電気絶縁性を有する絶縁被膜が形成されており、更に、その絶縁被膜の上には、絶縁被膜が剥がれ難く且つ傷が付き難くするための紫外線硬化樹脂の保護膜１３がコーティングされている。なお、本実施の形態の発光機能付き杖１では、アルマイト処理を施していない、支柱部１０の両端面及び内周面を介して支柱部１０を電流の経路の一部として用いることにより、電気配線の引き回し構成を簡略化することが出来た。これについては、更に後述する。
【００２５】
本実施の形態の発光機能付き杖１は、図２に示す様に、支柱部１０の内部空間の内、握り部２０が取り付けられている側の空間は、電源用の３個のリチウム電池４０が収納可能な電池収納スペースとして構成されており、その電池収納スペースより下方側の空間には、樹脂製で断面が略四角形状（図３（ａ）参照）の筒状基材２００が支柱部１０の内周面に接着剤等で固定されている。
【００２６】
これにより、電源用の電池交換は、握り部２０を支柱部１０の上端部から取り外すことにより、簡単に行える。
【００２７】
また、筒状基材２００は、図３（ａ）に示す様に、筒状基材２００の４つの外側面の内、ＬＥＤ第１シート状部材２１０が貼り付けられた第１外側面２０１が、支柱部１０の前面開口部１１に対向し、且つ、ＬＥＤ第２シート状部材２２０が貼り付けられた、第１外側面２０１に平行な第２外側面２０２が、支柱部１０の後面開口部１２に対向する様に、位置決めされている。
【００２８】
また、第１外側面２０１には、ＬＥＤ第１シート状部材２１０上の６個の白色ＬＥＤ２１１の位置が、支柱部１０に形成された６個の前面開口部１１の位置に対応する様に、ＬＥＤ第１シート状部材２１０が貼り付けられている（図２参照）。
【００２９】
また、第２外側面２０２には、ＬＥＤ第２シート状部材２２０上の３個の赤色ＬＥＤ２２１の位置が、支柱部１０に形成された３個の後面開口部１２の位置に対応する様に、ＬＥＤ第２シート状部材２２０が貼り付けられている（図２参照）。
【００３０】
本実施の形態の発光機能付き杖１では、ＬＥＤ第１シート状部材２１０、及びＬＥＤ第２シート状部材２２０として、所謂テープＬＥＤなどと呼ばれる部材を用いることで、各種ＬＥＤを発光可能に取り付けることが極めて簡単に行える。
【００３１】
また、ＬＥＤ第１シート状部材２１０、及びＬＥＤ第２シート状部材２２０では、図４（ａ）、図４（ｂ）に示す様に、ＬＥＤ（図４（ａ）、図４（ｂ）の符号２１１、２２１参照）が発光可能に搭載された第１シート状基材２１２、及び第２シート状基材２２２の上面に、第１プラス端子２１３ａと第１マイナス端子２１３ｂ、及び第２プラス端子２２３ａと第２マイナス端子２２３ｂが、それぞれ形成されている。また、ＬＥＤ第１シート状部材２１０、及びＬＥＤ第２シート状部材２２０のそれぞれの基材（図４（ａ）、（ｂ）の符号２１２、２２２参照）の内部には、各ＬＥＤを発光させるための配線類（図示省略）が形成されている。
【００３２】
これにより、ＬＥＤ第１シート状部材２１０、及びＬＥＤ第２シート状部材２２０のそれぞれの上記端子間に、リチウム電池４０で構成されたＤＣ電源を接続することにより、６個の白色ＬＥＤ２１１、及び３個の赤色ＬＥＤ２２１を同時に発光させる構成である（図５参照）。
【００３３】
また、シーソースイッチ１００は、図３（ｂ）に示す様に、ユーザーが指で操作するための操作ボタン１１０と、操作ボタン１１０の動きに連動して可動する接点機構が内蔵されたフレーム部１２０と、フレーム部１２０の下面から突き出した第１端子１３０ａ、第２端子１３０ｂとから構成されている。
【００３４】
そして、図３（ｂ）に示す様に、本実施の形態の発光機能付き杖１の支柱部１０の右側上部の外周面に形成された貫通孔から、操作ボタン１１０とフレーム部１２０の上端縁部が露出する様に配置されたシーソースイッチ１００は、フレーム部１２０の下面に設けられた２本の端子１３０ａ、１３０ｂが、筒状基材２００の側壁部に形成された貫通孔を介して、筒状基材２００の内部空間に突き出した状態で、筒状基材２００に固定されている。
【００３５】
また、筒状基材２００の上端の開口部には、金属製のキャップ部材２３０が挿入固定されており、そのキャップ部材２３０の上面には、電源用のリチウム電池４０のマイナス極と電気的に接触すると共にリチウム電池４０を電池収納スペースに保持するための弾性を有するマイナス電極用渦巻きバネ５０が電気的に接続されると共に固定されている。
【００３６】
一方、支柱部１０の上端部が挿入された握り部２０側の接続用穴部２１の底面２１ａには、外形が略円形状で且つ断面が略円弧状に湾曲したプラス電極用部材６０が固定されている。そして、握り部２０の接続用穴部２１に支柱部１０の上端部を奥側までしっかりと挿入することにより、プラス電極用部材６０の最も突き出した部分６０ａが、電池収納スペースに収納されているリチウム電池４０のプラス極と電気的に接触すると共に、プラス電極用部材６０の外周部６０ｂが、支柱部１０の上端部の内周面１０ａと電気的に接触する様に、プラス電極用部材６０が形成されている。
【００３７】
次に、本実施の形態の発光機能付き杖１の電気回路の構成について、主として図２、図５を用いて説明する。
【００３８】
シーソースイッチ１００の第１端子１３０ａは、Ａ配線３１０を介してＬＥＤ第１シート状部材２１０の第１プラス端子２１３ａと電気的に接続されており、且つ、Ｂ配線３２０を介してＬＥＤ第２シート状部材２２０の第２プラス端子２２３ａと電気的に接続されている。
【００３９】
また、シーソースイッチ１００の第２端子１３０ｂは、Ｃ配線３３０（図２参照）を介して、支柱部１０の内周面１０ａと電気的に接続されている。更に、支柱部１０の内周面１０ａは、上述した様に、プラス電極用部材６０の外周部６０ｂと電気的に接触している。これにより、シーソースイッチ１００の第２端子１３０ｂは、Ｃ配線３３０、支柱部１０の内周面１０ａ、及びプラス電極用部材６０を介して、電源用のリチウム電池４０のプラス電極側と電気的に接続される。
【００４０】
また、電源用のリチウム電池４０のマイナス電極側と電気的に接触するマイナス電極用渦巻きバネ５０が固定されたキャップ部材２３０は、Ｄ配線３４０を介してＬＥＤ第１シート状部材２１０の第１マイナス端子２１３ｂと電気的に接続されており、且つ、Ｅ配線３５０を介してＬＥＤ第２シート状部材２２０の第２マイナス端子２２３ｂと電気的に接続されている。
【００４１】
なお、Ａ配線３１０、Ｂ配線３２０、Ｄ配線３４０、及びＥ配線３５０は、概ね筒状基材２００の内部空間に配策されており、ＬＥＤ第１シート状部材２１０の近傍と、ＬＥＤ第２シート状部材２２０の近傍において、筒状基材２００に設けられた所定の貫通孔を介して、筒状基材２００の外周面側に引き回されて、ＬＥＤ第１シート状部材２１０とＬＥＤ第２シート状部材２２０の端子に接続されている。
【００４２】
なお、本実施の形態の支柱部１０は、本発明の支柱部の一例にあたり、本実施の形態の握り部２０は、本発明の握り部の一例にあたる。また、本実施の形態の白色ＬＥＤ２１１は、本発明の第１発光部の一例にあたり、本実施の形態の赤色ＬＥＤ２２１は、本発明の第２発光部の一例にあたる。また、本実施の形態のリチウム電池４０は、本発明の電池部材の一例にあたり、本実施の形態のシーソースイッチ１００は、本発明のスイッチ部の一例にあたる。
【００４３】
また、本実施の形態の前面開口部１１は、本発明の第１開口部の一例にあたり、本実施の形態の後面開口部１２は、本発明の第２開口部の一例にあたる。また、本実施の形態の筒状基材２００は、本発明の角柱状部材の一例にあたる。
【００４４】
以上説明した本実施の形態の発光機能付き杖１の構成によれば、ユーザーが、シーソースイッチ１００の操作ボタン１１０を「入り」側に操作することで、発光機能付き杖１の前面下方側に内蔵された６個の白色ＬＥＤ２１１と、発光機能付き杖１の後面下方側に内蔵された３個の赤色ＬＥＤ２２１とに、３個のリチウム電池４０から電力が供給されるので同時に発光する（図２、図５参照）。
【００４５】
これにより、発光機能付き杖１の支柱部１０の前面縦方向に所定間隔で形成された６個の前面開口部１１を介して前方に向けて白色光が放出されると共に、発光機能付き杖１の支柱部１０の後面縦方向に所定間隔で形成された３個の後面開口部１２を介して後方に向けて赤色光が放出される。
【００４６】
よって、本実施の形態の発光機能付き杖１を用いれば、支柱部１０の前面下方部が縦方向に白色に発光し、支柱部１０の後面下方部が縦方向に赤色に発光するので、前方から近づく自動車や自転車等のドライバーのみならず、後方から近づく自動車や自転車等のドライバーに対しても、より明確に注意喚起を促すことが出来、薄暗い時間帯や夜間において発光機能付き杖１の使用者の存在を周囲の人により確実に知らせることが出来て、安全で且つ安心して歩行が行える。
【００４７】
また、本実施の形態の発光機能付き杖１では、支柱部１０に内蔵するＬＥＤ素子の数は、前面側の方が後面側に比べて多く配置しており、前面側に配置された白色ＬＥＤ２１１からの発光は、周囲の人への注意喚起の他に、前方方向に存在する障害物等を照らすことも可能となり、発光機能付き杖１の使用者は、より安全で且つ安心して歩行が行える。
【００４８】
また、上記構成によれば、電源としてリチウム電池４０を使用することで軽量化と、各ＬＥＤの長時間点灯を可能とし、電池の交換作業も容易に行える。
【００４９】
なお、上記実施の形態では、支柱部１０の前面側に白色ＬＥＤ２１１、支柱部１０の後面側に赤色ＬＥＤ２２１を内蔵した構成について説明したが、これに限らず例えば、ＬＥＤの発光色は何色であっても良いし、前面側と後面側の発光色を同一にしても良い。
【００５０】
また、上記実施の形態では、支柱部１０の前面側に６個のＬＥＤ、支柱部１０の後面側に３個のＬＥＤを内蔵した構成について説明したが、これに限らず例えば、前面側と後面側に内蔵するＬＥＤの数を同じ数にしても良いし、前面側より後面側に内蔵するＬＥＤの数を多くしても良い。
【００５１】
また、上記実施の形態では、支柱部１０の前面側と後面側にのみＬＥＤを内蔵した構成について説明したが、これに限らず例えば、支柱部１０の右側面側、又は左側面側（又は左右両側面側）にもＬＥＤを内蔵する構成としても良い。これにより、発光機能付き杖１の使用者に対して、側面方向から近づいてくるドライバーにも確実に注意を喚起出来る。
【００５２】
また、上記実施の形態では、支柱部１０の前面側と後面側に形成された開口部から主として前方方向及び後方方向に光りを放出する構成について説明したが、これに限らず例えば、支柱部１０の前面に形成された６個の前面開口部１１の内、下側の３個の前面開口部１１についてのみＬＥＤから出た光の進行方向を斜め下方４５°に屈折させる光屈折部材を装着した構成としても良い。これにより、支柱部１０の前面に形成された６個の前面開口部１１の内、上側の３個の前面開口部１１を通過する光は前方に向けて放出されるので、周囲の人への注意喚起が行えると共に、下側の３個の前面開口部１１に装着された光屈折部材を通過する光は斜め下方４５°方向に進み、発光機能付き杖１の前側の地面をより積極的に照らすことが出来る。
【００５３】
また、上記実施の形態では、支柱部１０の前面側と後面側に形成された開口部から主として前方方向及び後方方向に光りを放出する構成について説明したが、これに限らず例えば、筒状基材２００の第１外側面２０１の一部において、下方に向かうに従って筒状基材２００の中心軸に近づく傾斜面が鋸状に連続して形成された構成とし、鋸状に連続する傾斜面に白色ＬＥＤ２１１の一部を配置する構成としても良い。これにより、例えば、支柱部１０の前面側に内蔵された６個の白色ＬＥＤ２１１の内、鋸状に連続する傾斜面が形成されていない面に取り付けられた上側の３個の白色ＬＥＤ２１１から出た光は前方に向けて放出されるので、周囲の人への注意喚起が行えると共に、鋸状に連続する傾斜面に取り付けられた下側の３個の白色ＬＥＤ２１１から出た光は斜め下方４５°方向に進み、発光機能付き杖１の前側の地面をより積極的に照らすことが出来る。また、筒状基材２００の第１外側面２０１の形状は、鋸状に連続する傾斜面に限らず例えば、側面視で略正弦波形状に湾曲した傾斜面が形成されていても良い。この場合でも、下向きの湾曲面に白色ＬＥＤ２１１を配置することで上記と同様の効果を得ることが出来る。
【００５４】
また、上記実施の形態では、支柱部１０の前面側と後面側に形成された開口部から主として前方方向及び後方方向に光りを放出する構成について説明したが、これに限らず例えば、前面開口部１１と後面開口部１２の開口部分を光が透過可能な部材で塞ぐ構成としても良い。これにより、開口部から支柱部１０の内部に埃、砂塵、雨水等が浸入することを防止出来る。
【００５５】
また、上記実施の形態では、ＬＥＤ第１シート状部材２１０、及びＬＥＤ第２シート状部材２２０として、所謂テープＬＥＤなどと呼ばれる部材を用いる場合について説明したが、これに限らず例えば、ＬＥＤ第１シート状部材２１０、及びＬＥＤ第２シート状部材２２０として、プリント基板上にＬＥＤを搭載した構成のものを用いても良い。
【００５６】
また、上記実施の形態では、電源用として、リチウム電池４０を用いた場合について説明したが、これに限らず例えば、使い捨てタイプの他の種類の一次電池であっても良いし、或いは、充電可能な二次電池であっても良く、電池の種類に限定されるものではない。
【００５７】
また、上記実施の形態では、本発明のスイッチ部の一例として、シーソースイッチ１００を用いた場合について説明したが、これに限らず例えば、プッシュ式のスイッチでも良く、要するに電池部材から発光部側への電気エネルギーの供給の入り切りが出来れば、どのようなスイッチでも良い。
【００５８】
また、上記実施の形態では、本発明の第１発光部の一例として白色ＬＥＤ２１１を用い、本発明の第２発光部の一例として赤色ＬＥＤ２２１を用いた場合について説明したが、これに限らず例えば、ＬＥＤに代えて小型の電球であっても良いし、或いは他の発光素子であっても良い。
【産業上の利用可能性】
【００５９】
本発明の発光機能付き杖によれば、夜間等において杖の使用者の存在を周囲により確実に知らせることが出来るという効果を発揮し、例えば、高齢者や足の不自由な人の歩行の補助具として有用である。
【符号の説明】
【００６０】
１    発光機能付き杖
１０    支柱部
１１    前面開口部
１２    後面開口部
２０    握り部
３０    石突部
４０    リチウム電池
５０    マイナス電極用渦巻きバネ
６０    プラス電極用部材
１００  シーソースイッチ
２００  筒状基材
２１０  ＬＥＤ第１シート状部材
２１１  白色ＬＥＤ（白色発光ダイオード）
２２０  ＬＥＤ第２シート状部材
２２１  赤色ＬＥＤ（赤色発光ダイオード）
２３０  キャップ部材
【図１】
2019037718.tif 000003
【図２】
2019037718.tif 000004
【図３】
2019037718.tif 000005
【図４】
2019037718.tif 000006
【図５】
2019037718.tif 000007